(57)【要約】【課題】  表現できる階調数が多く、動画像疑似輪郭の発生を大幅に低減させ得る。【解決手段】  映像信号を構成するフィールドの各々を複数のサブフィールドで構成して階調表示を行う表示パネル(2)の駆動方法が開示される。この駆動方法は、映像信号の輝度分布を検出し、各フィールドを、Ｎ個（Ｎは１以上の整数）のサブフィールドからなる第１サブフィールド群と、Ｍ個（Ｍは１以上の整数）のサブフィールドからなる第２サブフィールド群とに分割し、第１サブフィールド群を２のＮ乗階調で、第２サブフィールド群をＭ＋１階調でそれぞれ表示パネル(2)に表示するものである。第１および第２サブフィールド群にそれぞれ割り当てるサブフィールド数Ｎ，Ｍは輝度分布に応じて設定される。【選択図】    図１
2006018045.tif 000002
【特許請求の範囲】
【請求項１】
映像信号を構成するフィールドの各々を複数のサブフィールドで構成して階調表示を行う表示パネルの駆動方法であって、
（ａ）前記映像信号の輝度分布を検出するステップと、
（ｂ）前記フィールドの各々を、Ｎ個（Ｎは１以上の整数）のサブフィールドからなる第１サブフィールド群と、Ｍ個（Ｍは１以上の整数）のサブフィールドからなる第２サブフィールド群とに分割するステップと、
（ｃ）前記第１サブフィールド群を２のＮ乗階調で前記表示パネルに表示するステップと、
（ｄ）前記第２サブフィールド群をＭ＋１階調で前記表示パネルに表示するステップと、を備え、
前記ステップ（ｂ）において、前記第１サブフィールド群に割り当てるサブフィールド数Ｎと前記第２サブフィールド群に割り当てるサブフィールド数Ｍとを前記輝度分布に応じた値に設定することを特徴とする表示パネルの駆動方法。
【請求項２】
請求項１記載の表示パネルの駆動方法であって、
前記表示パネルは、面状に配列された複数の表示セルを含み、前記表示セルの各々は、各前記サブフィールドの表示期間で消灯モードに設定されているときに発光せず、点灯モードに設定されているときに発光するものであり、
前記ステップ（ｃ）は、前記第１サブフィールド群のサブフィールドのうち、前記表示セルの階調レベルに対応した発光維持期間を構成するサブフィールドの組み合わせを選択し、選択されたサブフィールドにおいて前記表示セルを点灯モードに設定し、非選択のサブフィールドにおいて前記表示セルを消灯モードに設定して前記表示セルを駆動するステップを含む、ことを特徴とする表示パネルの駆動方法。
【請求項３】
請求項１または２記載の表示パネルの駆動方法であって、
前記表示パネルは、面状に配列された複数の表示セルを含み、前記表示セルの各々は、各前記サブフィールドの表示期間で消灯モードに設定されているときには発光せず、点灯モードに設定されているときに発光するものであり、
前記ステップ（ｄ）は、前記第２サブフィールド群のサブフィールドのうち、前記表示セルの階調レベルに対応した発光維持期間を構成する連続配列するサブフィールドを選択し、選択されたサブフィールドにおいて前記表示セルを点灯モードに設定し、非選択のサブフィールドにおいて前記表示セルを消灯モードに設定して前記表示セルを駆動するステップを含む、ことを特徴とする表示パネルの駆動方法。
【請求項４】
請求項１から３のうちのいずれか１項に記載の表示パネルの駆動方法であって、
前記ステップ（ａ）は、前記輝度分布の偏りを検出するステップを含み、
前記ステップ（ｂ）は、前記サブフィールド数ＮおよびＭを前記輝度分布の偏りに応じた値に設定するステップを含む、ことを特徴とする表示パネルの駆動方法。
【請求項５】
請求項４記載の表示パネルの駆動方法であって、前記ステップ（ｂ）は、前記輝度分布が高輝度領域または中輝度領域に偏る分布へ変化したとき、前記第１サブフィールド群に割り当てるサブフィールド数を減少させ、前記第２サブフィールド群に割り当てるサブフィールド数を増加させるステップを含むことを特徴とする表示パネルの駆動方法。
【請求項６】
請求項４または５記載の表示パネルの駆動方法であって、前記ステップ（ｂ）は、前記輝度分布が低輝度領域に偏る分布へ変化したとき、前記第１サブフィールド群に割り当てるサブフィールド数を増加させ、前記第２サブフィールド群に割り当てるサブフィールド数を減少させるステップを含むことを特徴とする表示パネルの駆動方法。
【請求項７】
請求項１から６のうちのいずれか１項に記載の表示パネルの駆動方法であって、前記フィールドの各々に含まれるサブフィールドの総数は一定であることを特徴とする表示パネルの駆動方法。
【請求項８】
請求項１から７のうちのいずれか１項に記載の表示パネルの駆動方法であって、
入力映像信号を逆ガンマ補正して、前記ステップ（ｂ）で割り当てられたサブフィールド数ＮおよびＭに応じた階調数の補正映像信号を出力するステップをさらに備え、
前記ステップ（ｂ）は、前記補正映像信号を構成するフィールドの各々を前記第１サブフィールド群と前記第２サブフィールド群に分割するステップを含むことを特徴とする表示パネルの駆動方法。
【請求項９】
請求項１から８のうちのいずれか１項に記載の表示パネルの駆動装置であって、前記ステップ（ｂ）において、前記第１サブフィールド群は、連続的に配列するＮ個のサブフィールドからなり、前記第２サブフィールド群は、連続的に配列するＭ個のサブフィールドからなることを特徴とする表示パネルの駆動装置。
【請求項１０】
請求項１から９のうちのいずれか１項に記載の表示パネルの駆動方法であって、プラズマディスプレイパネルを駆動することを特徴とする表示パネルの駆動方法。
【請求項１１】
映像信号を構成するフィールドの各々を、複数のサブフィールドで構成して階調表示を行う表示パネルの駆動装置であって、
前記映像信号の輝度分布を検出する輝度分布検出部と、
前記フィールドの各々を、Ｎ個（Ｎは１以上の整数）のサブフィールドからなる第１サブフィールド群と、Ｍ個（Ｍは１以上の整数）のサブフィールドからなる第２サブフィールド群とに分割するサブフィールド割り当て部と、
前記第１サブフィールド群を２のＮ乗階調で表示し前記第２サブフィールド群をＭ＋１階調で表示するように前記表示パネルを駆動する駆動部と、を備え、
前記サブフィールド割り当て部は、前記第１サブフィールド群に割り当てるサブフィールド数Ｎと前記第２サブフィールド群に割り当てるサブフィールド数Ｍとを前記輝度分布に応じた値に設定することを特徴とする表示パネルの駆動装置。
【発明の詳細な説明】
【技術分野】
【０００１】
本発明は、プラズマディスプレイなどのディスプレイ装置における表示パネルの駆動技術に関する。
【背景技術】
【０００２】
プラズマディスプレイは、マトリクス状に配列している複数個の放電セルを有しており、選択した放電セルにガス放電を起こして発生した紫外線で放電セル内の蛍光体を励起することで発光する。単位時間当たりの放電セルの放電回数、すなわち放電セルに印加する放電維持パルスの回数を制御することで多階調の輝度表示が可能である。一般に、プラズマディスプレイの駆動方式としては、１枚の画像に相当する１フィールドを複数のサブフィールドに分割し、各サブフィールドにおける発光維持期間の比率を２のべき乗に設定し、これらサブフィールドの組み合わせで多階調表示を行うというサブフィールド法が採用されている。たとえば、８個のサブフィールドＳＦ1 ，ＳＦ2 ，…，ＳＦ8 の発光維持期間の比率をそれぞれ２0 ：２1 ：２2 ：２3 ：２4 ：２5 ：２6 ：２7 、すなわち１：２：４：８：１６：３２：６４：１２８に設定すれば、サブフィールドの組み合わせで２５６階調を実現することが可能である。サブフィールド法に関する技術は、たとえば、特許文献１（特開２００４−４６０６号公報）に開示されている。
【０００３】
サブフィールド法によりプラズマディスプレイが動画像を表示する場合、いわゆる動画像疑似輪郭と称するノイズが発生し、これにより表示品質が著しく損なわれる問題が知られている。このような動画像疑似輪郭の発生を防止する駆動方式として、特許文献２（特開２０００−２２７７７８号公報）に記載される駆動法が知られている。この駆動法では、１フィールドの表示期間内に、サブフィールドの発光パターンが時間的且つ空間的に連続するため、前述の動画像疑似輪郭が原理上発生しないという利点がある。しかしながら、この駆動法では、表現できる階調数が少ないというデメリットがあった。
【特許文献１】特開２００４−４６０６号公報（段落「００１７」〜「００３１」参照）
【特許文献２】特開２０００−２２７７７８号公報
【発明の開示】
【発明が解決しようとする課題】
【０００４】
上記に鑑みて本発明の目的は、表現できる階調数が多く、動画像疑似輪郭の発生を大幅に低減させ得る表示パネルの駆動方法および駆動装置を提供する点にある。
【課題を解決するための手段】
【０００５】
上記目的を達成すべく、請求項１記載の発明は、映像信号を構成するフィールドの各々を、複数のサブフィールドで構成して階調表示を行う表示パネルの駆動方法であって、（ａ）前記映像信号の輝度分布を検出するステップと、（ｂ）前記フィールドの各々を、Ｎ個（Ｎは１以上の整数）のサブフィールドからなる第１サブフィールド群と、Ｍ個（Ｍは１以上の整数）のサブフィールドからなる第２サブフィールド群とに分割するステップと、（ｃ）前記第１サブフィールド群を２のＮ乗階調で前記表示パネルに表示するステップと、（ｄ）前記第２サブフィールド群をＭ＋１階調で前記表示パネルに表示するステップと、を備え、前記ステップ（ｂ）において、前記第１サブフィールド群に割り当てるサブフィールド数Ｎと前記第２サブフィールド群に割り当てるサブフィールド数Ｍとを前記輝度分布に応じた値に設定することを特徴としている。
【０００６】
請求項１１記載の発明は、映像信号を構成するフィールドの各々を、複数のサブフィールドで構成して階調表示を行う表示パネルの駆動装置であって、前記映像信号の輝度分布を検出する輝度分布検出部と、前記フィールドの各々を、Ｎ個（Ｎは１以上の整数）のサブフィールドからなる第１サブフィールド群と、Ｍ個（Ｍは１以上の整数）のサブフィールドからなる第２サブフィールド群とに分割するサブフィールド割り当て部と、前記第１サブフィールド群を２のＮ乗階調で表示し前記第２サブフィールド群をＭ＋１階調で表示するように前記表示パネルを駆動する駆動部と、を備え、前記サブフィールド割り当て部は、前記第１サブフィールド群に割り当てるサブフィールド数Ｎと前記第２サブフィールド群に割り当てるサブフィールド数Ｍとを前記輝度分布に応じた値に設定することを特徴としている。
【発明を実施するための最良の形態】
【０００７】
以下、本発明に係る種々の実施例について説明する。
【０００８】
図１は、本発明に係る実施例のプラズマディスプレイ（ディスプレイ装置）を概略的に示すブロック図である。このプラズマディスプレイ１は、表示パネル（プラズマディスプレイパネル）２と、表示パネル２を駆動するアドレス電極ドライバ１６および維持電極ドライバ１７Ａ，１７Ｂとを備えている。プラズマディスプレイ１は、さらに、Ａ／Ｄ変換器（ＡＤＣ）１０，データ変換部１１，階調処理部１２，データ生成部１３，フレームメモリ回路１４，輝度分布検出部２０およびコントローラ２１を備えている。コントローラ２１は、処理ブロック１１，１２，１３，１４，１６，１７Ａ，１７Ｂを制御する。
【０００９】
入力映像信号は、Ｒ（赤色），Ｇ（緑色），Ｂ（青色）のアナログ信号で構成されており、Ａ／Ｄ変換器１０は、たとえばＲ，Ｇ，Ｂのアナログ信号をそれぞれサンプリングし量子化することで、Ｒ，Ｇ，Ｂ各々のデジタル映像信号ＤＤを生成してこれをデータ変換部１１，輝度分布検出部２０およびコントローラ２１に供給する。データ変換部１１は、予め記憶されている特性曲線に従ってデジタル映像信号ＤＤを逆ガンマ変換して、コントローラ２１の指示に応じてＫビット（Ｋは設定値以下の任意の整数）の補正映像信号ＰＤを階調処理部１２に出力する。データ変換部１１は、たとえば、８ビット階調（すなわち２8 階調）のデジタル映像信号ＤＤを逆ガンマ補正して１ビット階調〜１０ビット階調（すなわち２1 〜２10 階調）の補正映像信号ＰＤを出力できる。
【００１０】
階調処理部１２は、データ変換部１１から入力した補正映像信号ＰＤに誤差拡散処理およびディザ処理を施して得た映像信号ＰＤｓをデータ生成部１３に出力する。たとえば、データ変換部１１からＬビット（Ｌは正整数）の補正映像信号ＰＤが入力したとき、階調処理部１２は、補正映像信号ＰＤの下位ｘビット（ｘはＬ未満の正整数）を周辺画素の信号の上位Ｌ−ｘビットに拡散する誤差拡散処理を実行し、さらに、誤差拡散処理で得られたＬ−ｘビット信号にディザマトリクスの要素を加算した後に右ビットシフトすることで上位Ｌ−ｙビット（ｙはＬ−ｘ未満の正整数）の映像信号ＰＤｓを出力できる。ディザマトリクスの要素は予めメモリ（図示せず）に記憶されている。
【００１１】
データ生成部１３は、階調処理部１２から入力した映像信号ＰＤからフィールドデータＦＤを生成してこれをフレームメモリ回路１４に出力する。フレームメモリ回路１４は、入力したフィールドデータＦＤを内部のバッファメモリ（図示せず）に一時的に記憶する一方、当該バッファメモリに記録されているデータをサブフィールド単位で読み出してアドレス電極ドライバ１６に供給する。アドレス電極ドライバ１６は、フレームメモリ回路１４から入力するデータＳＤに基づいてアドレスパルスを発生しこれらを所定のタイミングでアドレス電極Ｄ1 〜Ｄm に印加する。
【００１２】
表示パネル２は、面状且つマトリクス状に配列している複数の放電セルＣＬ，ＣＬ，…と、アドレス電極ドライバ１６からＹ方向に伸長するｍ本（ｍは２以上の整数）のアドレス電極Ｄ1 ，…，Ｄm と、第１維持電極ドライバ１７Ａから、Ｙ方向と直交するＸ方向に伸長するｎ＋１本（ｎは２以上の整数）の維持電極Ｌ1 ，…，Ｌn+1 と、第２維持電極ドライバ１７Ｂから−Ｘ方向に伸長するｎ本の維持電極Ｓ1 ，…，Ｓn とを備えている。放電セルＣＬ，ＣＬ，…は、アドレス電極Ｄ1 〜Ｄm と維持電極Ｌ1 〜Ｌn+1 ，Ｓ1 〜Ｓn との交差点付近の領域に形成されている。
【００１３】
上記表示パネル２の一部領域の平面図を図２に示す。図３は、図２に示した表示パネル２の３−３線に沿った断面図である。図２を参照すると、維持電極Ｓj ，Ｓj+1 （ｊは１〜ｎ−１の整数）の各々は、−Ｘ方向に伸長する帯状のバス電極Ｓｂと、バス電極Ｓｂと接続しＹ方向に伸長する帯状の透明電極Ｓａ，Ｓａ，…とで構成されている。透明電極Ｓａは、ＩＴＯ（インジウム錫酸化物）などの透明導電材料からなり、Ｔ字形状の両端部を有している。またバス電極Ｓｂは黒色または暗色の金属膜からなる。維持電極Ｌj ，Ｌj+1 の各々は、Ｘ方向に伸長し黒色または暗色の金属膜からなる帯状のバス電極Ｌｂと、バス電極Ｌｂと接続しＹ方向に伸長する帯状の透明電極Ｌａ，Ｌａ，…とで構成されている。透明電極Ｌａは、ＩＴＯなどの透明導電材料からなり、透明電極Ｓａの一方の先端部と放電ギャップＧ１を介して対向するＴ字形状の先端部を有している。図３に示すように、これら維持電極Ｓj ，Ｓj+1 ，Ｌj ，Ｌj+1 は、透光性の前面基板４２の裏面に形成されており、さらに、維持電極Ｓj ，Ｓj+1 ，Ｌj ，Ｌj+1 を被覆するように前面誘電体層４３が成膜されている。この前面誘電体層４３上には、黒色または暗色の顔料を含む光吸収性の誘電体層（ブラックストライプ）４０，４０，…が、Ｘ方向に伸長してストライプ状に形成されている。なお、前面誘電体層４３とブラックストライプ４０，…の裏面にはＭｇＯ（酸化マグネシウム）からなる保護膜（図示せず）が形成されている。
【００１４】
一方、前面基板４２と対向する背面基板４６上には、Ｙ方向に伸長する帯状のアドレス電極Ｄk-1 ，Ｄk ，Ｄk+1 （ｋは１〜ｍ−１の整数）が成膜されている。図２に示す通り、アドレス電極Ｄk-1 ，Ｄk ，Ｄk+1 の各々は、一対の透明電極Ｓａ，ＬａとＺ方向（前面基板４２の深さ方向）に対向するように配置される。図３を参照すると、これらアドレス電極Ｄk-1 ，Ｄk ，Ｄk+1 を被覆し保護する背面誘電体層（保護層）４５が形成されており、背面誘電体層４５上には、Ｘ−Ｙ平面において連続する隔壁（リブ）４１Ａ，４１Ｂ，４１Ｃが設けられている。第１隔壁４１Ａ，４１Ａ，…は、それぞれ、バス電極Ｌｂ，Ｌｂ，…の直下にＸ方向に沿ってストライプ状に設けられ、第２隔壁４１Ｂ，４１Ｂ，…は、それぞれ、バス電極Ｓｂ，Ｓｂ，…の直下にＸ方向に沿ってストライプ状に設けられている。第１隔壁４１Ａとブラックストライプ４０との間には誘電体４４が積層されている。第３隔壁４１Ｃ，４１Ｃ，…は、背面誘電体層４５上であってアドレス電極上の各空間をＸ方向に区画するように設けられている。図３に示す通り、上記隔壁（リブ）４１Ａ，４１Ｂ，４１Ｃにより、一対の透明電極Ｌａ，Ｓａとアドレス電極Ｄk との間に主放電空間６０が形成され、且つ、透明電極Ｓａの先端部とアドレス電極Ｄk との間に副放電空間６１が形成されることとなる。主放電空間６０と副放電空間６１とは、ブラックストライプ４０と第２隔壁４１Ｂとの間の間隙Ｇ２を介して連通している。また主放電空間６０と副放電空間６１には、放電により紫外線を発生するＸｅ（キセノン）などからなる放電ガスが封入されている。
【００１５】
副放電空間６１の内壁には、比較的仕事関数が低い２次電子放出材料，たとえば、ＭｇＯ（酸化マグネシウム）またはＢａＯ（酸化バリウム）などからなる電子放出層４７が形成されている。主放電空間６０の内壁には、ガス放電で発生した紫外線を受けて、赤色（Ｒ），緑色（Ｇ）または青色（Ｂ）の光を発する蛍光体層４８が塗布されている。図１に示した放電セルＣＬは、第１隔壁４１Ａ，４１Ａと第３隔壁４１Ｃ，４１Ｃとで区画される領域に対応しており、各放電セルＣＬは、１つの主放電空間６０と１つの副放電空間６１とを有している。以上、表示パネル２の構造について説明した。
【００１６】
図１を参照すると、コントローラ２１は、サブフィールド割り当て部２２および駆動制御部２３を含んでいる。なお、本発明の駆動部は、コントローラ２１、アドレス電極ドライバ１６および維持電極ドライバ１７Ａ，１７Ｂを含むものである。後に詳述するように、サブフィールド割り当て部２２は、映像信号を構成するフィールドの各々を第１サブフィールド群と第２サブフィールド群とに分割する。第１サブフィールド群に割り当てるサブフィールド数と、第２サブフィールド群に割り当てるサブフィールド数とは、映像信号ＤＤの輝度分布の偏りに応じてリアルタイムに設定され得る。さらに、駆動制御部２３は複数の階調駆動方式に対応しており、表示パネル２に第１サブフィールド群を表示する期間には、第１の階調駆動方式に従って制御し、表示パネル２に第２サブフィールド群を表示する期間には、第２の階調駆動方式に従って制御する。
【００１７】
まず、第２の階調駆動方式について説明する。図４は、第２の階調駆動方式による発光駆動フォーマットの一例を示す図であり、図５は、図４に示した発光駆動フォーマットに従って表示パネル２に印加されるパルス波形を概略的に示すタイミングチャートである。
【００１８】
図４を参照すると、映像信号の１フィールドは、表示順に連続配置されたＭ個（Ｍは１以上の整数）のサブフィールドＳＦ1 〜ＳＦM に分割されており、サブフィールドＳＦ1 〜ＳＦM は、それぞれ、アドレス期間Ｔｗと発光維持期間Ｔｉとを有している。先頭のサブフィールドＳＦ1 のみがアドレス期間Ｔｗの直前にリセット期間Ｔｒを有している。また、サブフィールドＳＦ1 ，ＳＦ2 ，ＳＦ3 ，…，ＳＦM には、それぞれ、２0 ，２1 ，２2 ，…，２M に比例する発光維持期間Ｔｉ，Ｔｉ，Ｔｉ，…，Ｔｉが割り当てられている。
【００１９】
図５を参照すると、最初のサブフィールドＳＦ1 のリセット期間Ｔｒでは、第１維持電極ドライバ１７Ａが正極性のリセットパルスＲＰL ，…，ＲＰL をそれぞれ維持電極Ｌ1 ，…，Ｌn+1 に印加し、第２維持電極ドライバ１７Ｂが負極性のリセットパルスＲＰS ，…，ＲＰS をそれぞれ維持電極Ｓ1 ，…，Ｓn に印加し、さらに、アドレス電極ドライバ１６が正極性のリセットパルスＲＰD ，…，ＲＰD をそれぞれアドレス電極Ｄ1 ，…，Ｄm に印加する。このリセット期間Ｔｒでは、図３に示す表示パネル２の透明電極Ｓａとアドレス電極Ｄk との間の放電空間６０，６１でガス放電（リセット放電）が起こり、副放電空間６１で発生した電荷は間隙Ｇ２を通して主放電空間６０に移動する。この結果、全放電セルＣＬ，…の各々において、主放電空間６０の蛍光体層４８の表面に壁電荷が蓄積され、全ての放電セルＣＬ，…が点灯モードに設定される。
【００２０】
次のアドレス期間Ｔｗでは、消灯すべき放電セルＣＬ，…に選択的に消去アドレス放電を起こして壁電荷を消滅させる。すなわち、図５に示すように、第２維持電極ドライバ１７Ｂは、正極性の走査パルスＳＰをアドレス電極Ｄ1 ，…，Ｄm に順次印加する。このとき、アドレス電極ドライバ１６は、各走査パルスＳＰの印加タイミングに同期したアドレスパルス群ＤＰ1 ，…，ＤＰn を順次印加する。具体的には、アドレス電極ドライバ１６は、第１ラインの維持電極Ｓ1 に印加された走査パルスＳＰに同期したアドレスパルス群ＤＰ1 をアドレス電極Ｄ1 〜Ｄm に印加し、その後、第２ラインの維持電極Ｓ2 に印加された走査パルスＳＰに同期したアドレスパルス群ＤＰ2 をアドレス電極Ｄ1 〜Ｄm に印加する。アドレス電極ドライバ１６は、このような処理を、最終ラインの維持電極Ｓn に印加された走査パルスＳＰに同期したアドレスパルス群ＤＰn を印加するまで繰り返し実行する。このアドレス期間Ｔｗでは、消灯すべき放電セルＣＬにおいて、図３に示すアドレス電極Ｄk と透明電極Ｓａとの間の空間でガス放電（消去アドレス放電）が発生し、この結果、放電セルＣＬに蓄積されていた壁電荷が消滅し、当該放電セルＣＬは消灯モードに設定される。
【００２１】
次の発光維持期間Ｔｉでは、第１維持電極ドライバ１７Ａが負極性の放電維持パルスＩＰL ，…，ＩＰL をそれぞれ維持電極Ｌ1 ，…，Ｌn+1 に、割り当てられた回数だけ繰り返し印加するとともに、第２維持電極ドライバ１７Ｂが負極性の放電維持パルスＩＰS ，…，ＩＰS をそれぞれ維持電極Ｓ1 ，…，Ｓn に、割り当てられた回数だけ繰り返し印加する。ここで、維持電極Ｓ1 〜Ｓn に印加する最後の放電維持パルスＩＰE ，…，ＩＰE の振幅は、それ以前の放電維持パルスＩＰS と比べると若干大きく設定されている。この結果、壁電荷を持つ点灯モードの放電セルＣＬ，…では、図３に示す主放電空間６０内の一対の透明電極Ｓａ，Ｌａ間付近でガス放電（維持放電）が起こり、この放電で発生した紫外線を受けて蛍光体層４８が励起し、Ｒ，Ｇ，Ｂのいずれかの光を放出することとなる。
【００２２】
次のサブフィールドＳＦ2 のアドレス期間Ｔｗにおいては、消灯すべき放電セルＣＬに上記の如き消去アドレス放電を起こして壁電荷を消滅させる。次の発光維持期間Ｔｉでは、維持電極ドライバ１７Ａ，１７Ｂが、上記の如き放電維持パルスＩＰL ，ＩＰS を、割り当てられた回数だけ繰り返し印加する。その後、図４に示すが如きサブフィールドＳＦ3 〜ＳＦM における処理が行われる。
【００２３】
図６は、補正映像信号ＰＤがＭ＋１階調を持つ場合の補正映像信号ＰＤｓの階調レベルとフィールドデータＦＤとの対応関係を例示する図である。データ生成部１３は、図６に示される変換テーブルに従って、階調処理部１２から入力した映像信号ＰＤｓを、ＭビットのフィールドデータＦＤに変換してこれをフレームメモリ回路１４に出力する。具体的には、映像信号ＰＤｓの階調レベルが「０」のときは、フィールドデータＦＤの第１番目の最下位ビット（ＬＳＢ；Least Significant Bit）の値が「１」に設定され、それ以外の各ビットの値が「０」に設定される。映像信号ＰＤｓの階調レベルが「ｋ」（ｋは１〜Ｍ−１の整数）のときは、フィールドデータＦＤの第ｋ＋１番目ビットの値が「１」に設定され、それ以外の全ビットの値が「０」に設定される。そして、映像信号ＰＤｓの階調レベルが「Ｍ」のときは、フィールドデータＦＤの最下位ビットから最上位ビット（ＭＳＢ；Most Significant Bit）までの全ビットの値が「０」に設定される。
【００２４】
フレームメモリ回路１４は、一時記憶しているフィールドデータＦＤをサブフィールド単位で読み出してアドレス電極ドライバ１６に出力する。アドレス電極ドライバ１６は、フレームメモリ回路１４から入力するデータＳＤを順次サンプリングしラッチした後、データＳＤの各ビットの値に対応したアドレスパルスを生成してアドレス電極Ｄ1 〜Ｄm に印加する。図６の発光パターンにおいて、記号"●"は、上記消去アドレス放電の発生を意味し、記号"○"は、上記維持放電の発生を意味する。この発光パターンによれば、フィールドデータＦＤのＬＳＢの値が「１」のときは、最初のサブフィールドＳＦ1 のアドレス期間Ｔｗで、消灯すべき放電セルＣＬ，…の壁電荷を選択的に消滅させる消去アドレス放電（"●"）が起こる。フィールドデータＦＤの第ｋ番目ビット（ｋは１〜Ｍ−１の整数）の値が「１」のときは、１番目〜ｋ−１番目のサブフィールドＳＦ1 〜ＳＦk-1 の各発光維持期間Ｔｉで、壁電荷を有する放電セルＣＬ，…で維持放電（"○"）が起こり、ｋ番目のサブフィールドＳＦk のアドレス期間Ｔｗで消去アドレス放電（"●"）が起こる。そして、フィールドデータＦＤのＬＳＢからＭＳＢの全ビット値が「０」のときは、全サブフィールドＳＦ1 〜ＳＦM の各発光維持期間Ｔｉで、壁電荷を有する選択セルＣＬ，…で維持放電（"○"）が起こるが、アドレス期間Ｔｗでは消去アドレス放電は起こらない。
【００２５】
以上の第２の階調駆動法（以下、ＣＬＥＡＲ(high Contrast, Low Energy Address and Reduction of false contour)駆動法と称する。）は、図６に示されるように、各フィールドの表示期間において、リセット放電と消去アドレス放電とが各放電セルＣＬで１回だけで済む。したがって、各フィールドの最初に表示パネル２の全ての放電セルＣＬ，…に壁電荷が蓄積された後は、消去アドレス放電により壁電荷が消去されるまで、サブフィールドの発光パターンは終始一貫して連続することから、動画像疑似輪郭が発生しないという利点がある。
【００２６】
次に、第１の階調駆動方式について概説する。第１の階調駆動方式（以下、ビット駆動法と称する。）は、上記特許文献１（特開２００４−４６０６号公報）に記載されるような、各サブフィールドに割り当てる発光維持期間の比率（重み付け）を２のべき乗に設定する駆動法を採用している。図７は、第１の階調駆動方式による発光駆動フォーマットの一例を示しており、図８は、補正映像信号ＰＤが２N 階調を持つ場合の補正映像信号ＰＤｓの階調レベルとフィールドデータＦＤとの対応関係を例示している。
【００２７】
図７を参照すると、映像信号の１フィールドは、表示順に連続配置されたＮ個（Ｎは１以上の整数）のサブフィールドＳＦ1 〜ＳＦN に分割されており、サブフィールドＳＦ1 〜ＳＦN は、それぞれ、リセット期間Ｐｒ，アドレス期間Ｐｗおよび発光維持期間Ｐｉを有している。サブフィールドＳＦ1 ，ＳＦ2 ，ＳＦ3 ，…，ＳＦN には、それぞれ、２0 ，２1 ，２2 ，…，２N に比例する発光維持期間Ｐｉ，Ｐｉ，Ｐｉ，…，Ｐｉが割り当てられている。
【００２８】
各リセット期間Ｐｒでは、駆動制御部２３は、維持電極Ｌ1 〜Ｌn+1 ，Ｓ1 〜Ｓn にリセットパルスを印加するように維持電極ドライバ１７Ａ，１７Ｂを制御して、表示パネル２の全ての放電セルＣＬ，…にリセット放電を起こし壁電荷を生起させる。続けて、駆動制御部２３は、維持電極Ｌ1 〜Ｌn+1 ，Ｓ1 〜Ｓn に消去パルスを印加するように維持電極ドライバ１７Ａ，１７Ｂを制御して、表示パネル２の全ての放電セルＣＬ，…の壁電荷を一斉に消滅させる。これにより、全ての放電セルＣＬ，…は、消灯モードに初期化されることとなる。
【００２９】
また、リセット期間Ｐｒに続くアドレス期間Ｐｗでは、第１維持電極ドライバ１７Ａは維持電極Ｌ1 〜Ｌn+1 に順次走査パルスを印加し、第２維持電極ドライバ１７Ｂは、維持電極Ｓ1 〜Ｓn に順次走査パルスを印加する。アドレス電極ドライバ１６は、各走査パルスに同期したアドレスパルス群をアドレス電極Ｄ1 〜Ｄm に順次印加する。これにより、点灯すべき放電セルＣＬ，…で書込アドレス放電が起こり、選択的に壁電荷が形成されることとなる。
【００３０】
アドレス期間Ｐｗの後の発光維持期間Ｐｉでは、維持電極ドライバ１７Ａ，１７Ｂが、それぞれ、維持電極Ｌ1 〜Ｌn+1 ，Ｓ1 〜Ｓn に放電維持パルスを割り当てられた回数だけ繰り返し印加する。これにより、壁電荷が蓄積されている放電セルＣＬでは、ガス放電（すなわち維持放電）が起こり、この放電で発生した紫外線を受けて蛍光体層が励起し発光する。そして、最後尾のサブフィールドＳＦN では、駆動制御部２３は、発光維持期間Ｐｉの後の消去期間Ｐｅにおいて、全ての放電セルＣＬ，…に一斉に消去放電を起こすことで壁電荷を消滅させる。
【００３１】
データ生成部１３は、図８に示される変換テーブルに従って、階調処理部１２から入力したＮビット階調の補正映像信号ＰＤｓをＮビットの２進信号からなるフィールドデータＦＤに変換してこれをフレームメモリ回路１４に出力する。具体的には、映像信号ＰＤｓの階調レベルが「０」のときは、フィールドデータＦＤの第１番目の最下位ビット（ＬＳＢ）から第Ｎ番目の最上位ビット（ＭＳＢ）までの全ビットの値が「０」に設定される。映像信号ＰＤｓの階調レベルが「ｋ」（ｋは１〜２N −１の整数）のときは、当該階調レベルｋの２進数の値を持つフィールドデータＦＤが生成される。たとえば、階調レベルが「３」の場合、フィールドデータＦＤは「０００…０１１」の値を有し、階調レベルが「２N −１」の場合、フィールドデータＦＤは「１１１…１１１」の値を有することとなる。
【００３２】
フレームメモリ回路１４は、記憶しているフィールドデータＦＤをサブフィールド単位で読み出してアドレス電極ドライバ１６に出力する。アドレス電極ドライバ１６は、各アドレス期間Ｐｗにおいて、フレームメモリ回路１４から入力するデータＳＤを順次サンプリングしラッチした後、データＳＤの値に対応する発光パターンに基づいてアドレスパルスを発生し、これらをアドレス電極Ｄ1 〜Ｄm に印加する。図８に示されるように各階調レベルに対応した発光パターンは予め定められている。図８中、記号"◎"は、上記書込アドレス放電および維持放電の発生を示している。表示セルＣＬが発光すべきサブフィールドの表示期間では、書込アドレス放電および維持放電の組み合わせ放電（"◎"）が発生する。たとえば、階調レベル「３」に対応して表示セルＣＬが発光するのは、サブフィールドＳＦ1 ，ＳＦ2 の表示期間である。
【００３３】
以上のビット駆動法では、１フィールドにおいて、表示セルＣＬが発光するサブフィールドが連続するとは限らない。たとえば図８を参照すると、階調レベル「８」に対応する発光パターンでは、表示セルＣＬが発光するサブフィールドはＳＦ4 のみであるため、図７に示す発光駆動フォーマットを参照すると、ＳＦ1 ，ＳＦ2 ，ＳＦ3 の表示期間には放電セルＣＬは発光しない。したがって、上述の通り、ビット駆動法では、動画像疑似輪郭が発生し得るが、表現できる階調数が多いという利点がある。
【００３４】
本発明者らは、ビット駆動法により動画像を表示した場合、観測者は、動画像疑似輪郭を高輝度映像で視覚しやすいが、低輝度映像ではほとんど視覚しないという事実に着目した。映像が全体的に暗いときは、ビット駆動法で動画像を表示しても動画像疑似輪郭は目立ちにくく、逆に、映像が全体的に明るいときは、動画像疑似輪郭の発生を防止するために上記ＣＬＥＡＲ駆動法で動画像を表示すればよい。本実施例のプラズマディスプレイ１は、各フィールド毎に、ビット駆動法に割り当てるサブフィールド数とＣＬＥＡＲ駆動法に割り当てるサブフィールド数とを、映像信号の輝度分布の偏りに応じた値に設定する機能を有している。
【００３５】
図１を参照すると、輝度分布検出部２０は、Ａ／Ｄ変換器１０から入力したデジタル映像信号ＤＤから、たとえば各フレーム毎もしくは所定数のフレーム毎に輝度分布を検出し、そのデータをコントローラ２１に供給する。図９（Ａ），（Ｂ）および（Ｃ）に、輝度分布を表す輝度ヒストグラムを例示する。図９（Ａ）は、デジタル映像信号ＤＤの輝度分布が低輝度領域に偏っている輝度ヒストグラムを示し、同図（Ｂ）は、輝度分布が中輝度領域に偏っている輝度ヒストグラムを示し、同図（Ｃ）は、輝度分布が高輝度領域に偏っている輝度ヒストグラムを示している。輝度分布検出部２０は、映像信号の輝度分布を示す輝度特性情報，たとえば、平均輝度値，標準偏差値，分散値，および最大輝度値と最小輝度値間の差などをコントローラ２１に供給する。
【００３６】
サブフィールド割り当て部２２は、輝度分布検出部２０から供給された輝度特性情報に基づいてデジタル映像信号ＤＤの輝度分布の偏り程度を判別し、その判別結果に応じて各フィールドを第１サブフィールド群と第２サブフィールド群とに分割する。駆動制御部２３は、第１サブフィールド群の表示期間には、上記ビット駆動法により表示パネル２が駆動されるように制御し、第２サブフィールド群の表示期間には、上記ＣＬＥＡＲ駆動法により表示パネル２が駆動されるように制御する。
【００３７】
具体的には、各フィールドを構成するサブフィールドの総数が一定値ＮＡ（ＮＡは所定の正整数）であるとすると、第１サブフィールド群に割り当てるサブフィールド数がＮ１（Ｎ１は０〜ＮＡの整数）に設定され、第２サブフィールド群に割り当てるサブフィールド数がＮＡ−Ｎ１に設定される。ただし、動画像疑似輪郭の発生を抑制するために、第１サブフィールド群は、映像信号ＰＤｓの下位ビット，すなわち発光維持期間の短い下位のサブフィールドに対応付けられ、第２サブフィールド群は、映像信号ＰＤｓの上位ビット，すなわち発光維持期間の長い上位のサブフィールドに対応付けられる。この結果、１フィールドのうち、連続配列するＮ１個のサブフィールドＳＦ1 〜ＳＦN1 が第１サブフィールド群に属し、且つ残るＮＡ−Ｎ１個のサブフィールドＳＦN1+1 〜ＳＦNA が第２サブフィールド群に属することとなる。
【００３８】
このようにして第１サブフィールド群および第２サブフィールド群にそれぞれサブフィールド数Ｎ１，ＮＡ−Ｎ１が割り当てられたとき、１フィールドの階調数は、２N1 ＋ＮＡ−Ｎ１に定まる。すなわち、ビット駆動法による階調数が２N1 であり、ＣＬＥＡＲ駆動法による階調数がＮＡ−Ｎ１＋１であるため、合成階調数が２N1 ＋ＮＡ−Ｎ１となる。サブフィールド割り当て部２２は、それら階調数の情報を、データ変換部１１，階調処理部１２およびデータ生成部１３に供給するが、これに応じて、データ変換部１１は、入力信号ＤＤに逆ガンマ補正を施し、合成階調数に相当するビット長の補正映像信号ＰＤを出力する。たとえば、１フィールドの階調数が３２（＝２5 ）の場合、５ビットの補正映像信号ＰＤが出力される。
【００３９】
図１０（Ａ），（Ｂ）にデータ変換部１１の入出力特性を概略的に例示する。図１０（Ａ），（Ｂ）にそれぞれ示されるグラフの横軸は入力信号のレベル（０〜２５５）に対応し、グラフの縦軸は出力信号のレベルに対応している。同図（Ａ）は、入力信号に対して２０階調の補正映像信号ＰＤを出力する場合のグラフを，同図（Ｂ）は、入力信号に対して１０階調の補正映像信号ＰＤを出力する場合のグラフをそれぞれ表している。下記表１に同図（Ａ）の入出力関係を示し、下記表２に同図（Ｂ）の入出力関係を示す。
【００４０】
【表１】
2006018045.tif 000003
【００４１】
【表２】
2006018045.tif 000004
【００４２】
表１を参照すると、たとえば、入力信号のレベル（入力レベル）が「０」以上「３」未満のときは、出力信号のレベル（出力レベル）は「０」となり、入力レベルが「２３６」以上「２５５」未満のときは、出力レベルは「１１５２」となり、入力レベルが「２５５」のときは、出力レベルは「１２１６」となる。
【００４３】
また、階調処理部１２は、サブフィールド割り当て部２２から当該フィールドの階調数の情報を受けると、それら階調数に応じた誤差拡散処理およびディザ処理を適応的に実行する。これにより、データ変換部１１が階調数の小さなビット長の補正映像信号ＰＤを出力したとしても、当該階調数に応じて補正映像信号ＰＤの階調を擬似的に補間できる。
【００４４】
データ生成部１３は、サブフィールド割り当て部２２から当該フィールドの階調数の情報を受けると、ビット駆動法による階調数とＣＬＥＡＲ駆動法による階調数とに応じたフィールドデータＦＤを生成する。図１１は、映像信号ＤＤの輝度分布が低輝度領域に偏る場合の発光駆動フォーマットを例示している。図１１を参照すると、フィールドデータＦＤの１フィールドは、ビット駆動法で表示されるサブフィールドＳＦ1 〜ＳＦ4 からなる第１サブフィールド群と、ＣＬＥＡＲ駆動法で表示されるサブフィールドＳＦ5 〜ＳＦ8 からなる第２サブフィールド群とで構成されており、第１サブフィールド群は、当該フィールドの下位ビット，すなわち発光維持期間が比較的短い下位のサブフィールドＳＦ1 〜ＳＦ4 に対応付けられ、第２サブフィールド群は、１フィールドの上位ビット，すなわち発光維持期間が比較的長い上位のサブフィールドＳＦ5 〜ＳＦ8 に対応付けられている。よって、ビット駆動法による１６（＝２4 ）階調とＣＬＥＡＲ駆動法による５（＝４＋１）階調とを考慮すれば、表現できる合成階調数は２０（＝１６＋５−１）階調である。
【００４５】
図１２に、図１１に示した発光駆動フォーマットに対応した変換テーブルおよび発光パターンを示す。図１２の発光パターンにおいて、記号"◎"は、ビット駆動法による書込アドレス放電および維持放電の発生を、記号"○"は、ＣＬＥＡＲ駆動法による維持放電の発生を、記号"●"は、ＣＬＥＡＲ駆動法による消去アドレス放電の発生を、それぞれ意味している。上述の通り、データ生成部１３は、階調処理部１２から入力した映像信号ＰＤｓを、当該映像信号ＰＤｓの階調レベルに応じたフィールドデータＦＤに変換するが、図１２の変換テーブルによれば、たとえば、階調レベル「０」に対応するフィールドデータＦＤの値は「０００１００００」であり、階調レベル「１４」に対応するフィールドデータＦＤの値は「０００１１１１０」であり、階調レベル「１８」に対応するフィールドデータＦＤの値は「１０００１１１１」である。このように、２4 階調に対応するフィールドデータＦＤの下位４ビットがビット駆動法に割り当てられ、５（＝４＋１）階調に対応するフィールドデータＦＤの上位４ビットがＣＬＥＡＲ駆動法に割り当てられている。
【００４６】
図１２を参照すると、階調レベル「０」〜「１５」においては、サブフィールドＳＦ1 〜ＳＦ4 はビット駆動法により多階調表示され、続くサブフィールドＳＦ5 〜ＳＦ8 のうち先頭のサブフィールドＳＦ5 の表示期間には、ＣＬＥＡＲ駆動法による消去アドレス放電（"●"）が生起して、消灯すべき放電セルＣＬ，…の壁電荷が消滅する。一方、階調レベル「１６」〜「１９」においては、サブフィールドＳＦ1 〜ＳＦ4 の表示期間には、ビット駆動法による書込アドレス放電と維持放電が連続的に生起し、続くサブフィールドＳＦ5 〜ＳＦ8 は、ＣＬＥＡＲ駆動法により多階調表示される。
【００４７】
次に、映像信号ＤＤの輝度分布が高輝度領域または中輝度領域に偏る場合は、図１３に示す発光駆動フォーマットが使用される。フィールドデータＦＤの１フィールドは、ビット駆動法で表示されるサブフィールドＳＦ1 ，ＳＦ2 からなる第１サブフィールド群と、ＣＬＥＡＲ駆動法で表示されるサブフィールドＳＦ3 〜ＳＦ8 からなる第２サブフィールド群とで構成されており、第１サブフィールド群は、１フィールドの下位ビット，すなわち発光維持期間が比較的短い下位のサブフィールドＳＦ1 ，ＳＦ2 に対応付けられ、第２サブフィールド群は、フィールドの上位ビット，すなわち発光維持期間が比較的長い上位のサブフィールドＳＦ3 〜ＳＦ8 に対応付けられている。よって、ビット駆動法による４（＝２2 ）階調とＣＬＥＡＲ駆動法による７（＝６＋１）階調とを考慮すれば、表現できる合成階調数は１０（＝４＋７−１）階調である。
【００４８】
図１４に、図１３に示した発光駆動フォーマットに対応した変換テーブルおよび発光パターンを示す。図１４の発光パターンにおいて、記号"◎"は、ビット駆動法による書込アドレス放電および維持放電の発生を、記号"○"は、ＣＬＥＡＲ駆動法による維持放電の発生を、記号"●"は、ＣＬＥＡＲ駆動法による消去アドレス放電の発生を、それぞれ示している。この変換テーブルによれば、たとえば、階調レベル「０」に対応するフィールドデータＦＤの値は「０００００１００」であり、階調レベル「４」に対応するフィールドデータＦＤの値は「０００００１１１」であり、階調レベル「９」に対応するフィールドデータＦＤの値は「１０００００１１」である。このように、２2 階調に対応するフィールドデータＦＤの下位２ビットがビット駆動法に割り当てられ、７（＝６＋１）階調に対応するフィールドデータＦＤの上位６ビットがＣＬＥＡＲ駆動法に割り当てられている。
【００４９】
図１４を参照すると、階調レベル「０」〜「３」においては、サブフィールドＳＦ1 ，ＳＦ2 はビット駆動法により多階調表示され、続くサブフィールドＳＦ3 〜ＳＦ8 のうち先頭のサブフィールドＳＦ3 の表示期間には、ＣＬＥＡＲ駆動法による消去アドレス放電（"●"）が生起して、消灯すべき放電セルＣＬ，…の壁電荷が消滅する。階調レベル「４」〜「９」においては、サブフィールドＳＦ1 ，ＳＦ2 の表示期間には、ビット駆動法による書込アドレス放電と維持放電（"◎"）が連続的に生起し、続くサブフィールドＳＦ3 〜ＳＦ8 は、ＣＬＥＡＲ駆動法により多階調表示される。
【００５０】
上記の通り、デジタル映像信号ＤＤの輝度分布が低輝度領域に偏る分布（図９（Ａ）参照）へ変化したとき、輝度分布検出部２０はかかる分布を検出して輝度特性情報をサブフィールド割り当て部２２に供給する。次いで、サブフィールド割り当て部２２は、輝度特性情報に応じて、第１サブフィールド群に割り当てるサブフィールド数を減少させ、第２サブフィールド群に割り当てるサブフィールド数を増加させて、図１１に示した如く、１フィールドを第１サブフィールド群と第２サブフィールド群に分割する。駆動制御部２３は、図１２に示した如きの発光パターンに従って表示パネル２が駆動されるように制御することとなる。したがって、比較的多くのサブフィールドＳＦ1 〜ＳＦ4 がビット駆動法で表示されたとしても、観測者は動画像疑似輪郭を視覚せずに階調数の多い低輝度映像を楽しむことが可能となる。
【００５１】
なお、デジタル映像信号ＤＤの輝度分布が、図９（Ａ）に示される偏り分布からさらに低輝度領域側に偏った場合は、サブフィールド割り当て部２２は、第１サブフィールド群に割り当てるサブフィールド数をさらに増加させ、第２サブフィールド群に割り当てるサブフィールド数をさらに減少させてもよい。輝度分布が極端に低輝度領域に偏った場合に、第２サブフィールド群に割り当てるサブフィールド数を「０」に設定することも可能である。
【００５２】
また、デジタル映像信号ＤＤの輝度分布が、中輝度領域に偏る分布（図９（Ｂ）参照）または高輝度領域に偏る分布（図９（Ｃ）参照）へ変化したとき、輝度分布検出部２０はかかる分布を検出して輝度特性情報をサブフィールド割り当て部２２に供給する。次いで、サブフィールド割り当て部２２は、輝度特性情報に応じて、第１サブフィールド群に割り当てるサブフィールド数を増加させ、第２サブフィールド群に割り当てるサブフィールド数を減少させて、図１３に示した如く、１フィールドを第１サブフィールド群と第２サブフィールド群に分割する。駆動制御部２３は、図１４に示した如きの発光パターンに従って表示パネル２が駆動されるように制御することとなる。したがって、ビット駆動法で表示されるサブフィールドが１フィールドに占める割合が極端に減少するため、観測者は動画像疑似輪郭をほとんど視覚せずに映像を楽しむことが可能となる。
【００５３】
なお、デジタル映像信号ＤＤの輝度分布が、図９（Ｃ）に示される偏り分布からさらに高輝度領域側に偏った場合は、サブフィールド割り当て部２２は、第１サブフィールド群に割り当てるサブフィールド数をさらに減少させ、第２サブフィールド群に割り当てるサブフィールド数をさらに増加させてもよい。輝度分布が極端に高輝度領域に偏った場合に、第１サブフィールド群に割り当てるサブフィールド数を「０」に設定することも可能である。
【００５４】
上記実施例は、第１サブフィールド群をビット駆動法により表示し、第２サブフィールド群をＣＬＥＡＲ駆動法により表示するものであったが、上記ＣＬＥＡＲ駆動法およびビット駆動法の一方または双方を改良した変形例もあり得る。図１５に、第１の変形例による発光パターンの一例を示す。サブフィールドＳＦ1 ，ＳＦ2 は第１サブフィールド群に属し、サブフィールドＳＦ3 〜ＳＦ8 は第２サブフィールド群に属している。階調レベル「０」〜「３」においては、サブフィールドＳＦ1 ，ＳＦ2 はビット駆動法により多階調表示され、続くサブフィールドＳＦ3 〜ＳＦ8 の表示期間には、放電セルＣＬは発光しない。階調レベル「４」〜「９」においては、サブフィールドＳＦ1 ，ＳＦ2 の表示期間には、ビット駆動法による書込アドレス放電と維持放電との組み合わせ放電（"◎"）が生起し、続くサブフィールドＳＦ3 〜ＳＦ8 の表示期間には、組み合わせ放電（"◎"）が連続して生起する。第２サブフィールド群の表示期間では、組み合わせ放電（"◎"）が時間的に終始一貫して連続して起こるため、上記ＣＬＥＡＲ駆動法の場合と同じく動画像疑似輪郭の発生を大幅に低減できる。
【００５５】
図１６は、第２の変形例による発光パターンの一例を示す図である。サブフィールドＳＦ1 ，ＳＦ2 は第１サブフィールド群に属し、サブフィールドＳＦ3 〜ＳＦ8 は第２サブフィールド群に属している。階調レベル「０」〜「３」においては、サブフィールドＳＦ1 ，ＳＦ2 の表示期間には、消去アドレス放電（"●"）と維持放電（"○"）の組み合わせで２4 階調表示がなされている。続くサブフィールドＳＦ3 〜ＳＦ8 の表示期間には、放電セルＣＬは発光しない。また、階調レベル「４」〜「９」においては、サブフィールドＳＦ1 ，ＳＦ2 の表示期間には、維持放電（"○"）が連続して生起し、続くサブフィールドＳＦ3 〜ＳＦ8 の表示期間には、組み合わせ放電（"◎"）が時間的に終始一貫して連続して生起する。このため、上記ＣＬＥＡＲ駆動法の場合と同様に動画像疑似輪郭の発生を大幅に低減できる。
【００５６】
図１７は、第３の変形例による発光パターンの一例を示す図である。サブフィールドＳＦ1 ，ＳＦ2 は第１サブフィールド群に属し、サブフィールドＳＦ3 〜ＳＦ8 は第２サブフィールド群に属している。階調レベル「０」〜「３」においては、サブフィールドＳＦ1 ，ＳＦ2 の表示期間には、消去アドレス放電（"●"）と維持放電（"○"）の組み合わせで２4 階調表示がなされ、続くサブフィールドＳＦ3で消去アドレス放電（"●"）が生起し、その後のサブフィールドＳＦ4 〜ＳＦ8 の表示期間には、放電セルＣＬは発光しない。また、階調レベル「４」〜「９」においては、サブフィールドＳＦ1 〜ＳＦ8 は、上記ＣＬＥＡＲ駆動法により表示される。
【００５７】
上記実施例および変形例では、各フィールドにおいて、第１サブフィールド群は第２サブフィールド群よりも前に配置されていた。この代わりに、第１サブフィールド群を第２サブフィールド群の後に配置してもよい。たとえば、図１８に示すように、第１サブフィールド群がサブフィールドＳＦ1 ，ＳＦ2 からなるとき、サブフィールドＳＦ1 ，ＳＦ2 を第２サブフィールド群の後に配置させることができる。
【図面の簡単な説明】
【００５８】
【図１】本発明に係る実施例のプラズマディスプレイの構成を概略的に示すブロック図である。
【図２】表示パネルの一部領域の平面図である。
【図３】図２に示した表示パネルの３−３線に沿った断面図である。
【図４】第２の階調駆動方式による発光駆動フォーマットの一例を示す図である。
【図５】図４に示した発光駆動フォーマットに従って表示パネルに印加されるパルス波形を概略的に示すタイミングチャートである。
【図６】第２の階調駆動方式による階調レベルとフィールドデータとの対応関係並びに発光パターンを例示する図である。
【図７】第１の階調駆動方式による発光駆動フォーマットの一例を示す図である。
【図８】第１の階調駆動方式による階調レベルとフィールドデータとの対応関係並びに発光パターンを例示する図である。
【図９】（Ａ）は、映像信号の輝度分布が低輝度領域に偏っている輝度ヒストグラムを、（Ｂ）は、輝度分布が中輝度領域に偏っている輝度ヒストグラムを、（Ｃ）は、輝度分布が高輝度領域に偏っている輝度ヒストグラムを、それぞれ示す図である。
【図１０】（Ａ），（Ｂ）はそれぞれデータ変換部の入出力特性を概略的に例示する図である。
【図１１】映像信号の輝度分布が低輝度領域に偏る場合の発光駆動フォーマットを例示する図である。
【図１２】図１１に示した発光駆動フォーマットに対応した変換テーブルおよび発光パターンを示す図である。
【図１３】映像信号の輝度分布が高輝度領域または中輝度領域に偏る場合の発光駆動フォーマットを例示する図である。
【図１４】図１３に示した発光駆動フォーマットに対応した変換テーブルおよび発光パターンを示す図である。
【図１５】第１の変形例による変換テーブルおよび発光パターンの一例を示す図である。
【図１６】第２の変形例による変換テーブルおよび発光パターンの一例を示す図である。
【図１７】第３の変形例による変換テーブルおよび発光パターンの一例を示す図である。
【図１８】サブフィールドの配列を例示する図である。
【符号の説明】
【００５９】
１  プラズマディスプレイ（ディスプレイ装置）
２  表示パネル
１０  Ａ／Ｄ変換器（ＡＤＣ）
１１  データ変換部
１２  階調処理部
１３  データ生成部
１４  フレームメモリ回路
１６  アドレス電極ドライバ
１７Ａ，１７Ｂ  第１維持電極ドライバ
２０  輝度分布検出部
２１  コントローラ
２２  サブフィールド割り当て部
２３  駆動制御部
【図１】
2006018045.tif 000005
【図２】
2006018045.tif 000006
【図３】
2006018045.tif 000007
【図４】
2006018045.tif 000008
【図５】
2006018045.tif 000009
【図６】
2006018045.tif 000010
【図７】
2006018045.tif 000011
【図８】
2006018045.tif 000012
【図９】
2006018045.tif 000013
【図１０】
2006018045.tif 000014
【図１１】
2006018045.tif 000015
【図１２】
2006018045.tif 000016
【図１３】
2006018045.tif 000017
【図１４】
2006018045.tif 000018
【図１５】
2006018045.tif 000019
【図１６】
2006018045.tif 000020
【図１７】
2006018045.tif 000021
【図１８】
2006018045.tif 000022